(57)【要約】    【課題】  広画角で、全ズーム領域及び全合焦領域で高い光学性能を有したズームレンズを得ること。    【解決手段】  物体側から像側へ順に、負の屈折力の第１レンズ群、正の屈折力の第２レンズ群、負の屈折力の第３レンズ群、正の屈折力の第４レンズ群を有し、ズーミングに際して各レンズ群の間隔が変化するように各レンズ群が光軸上を移動するズームレンズにおいて、  該第２レンズ群は、物体側から像側へ順に最も広い空気間隔を境に正の屈折力の前群、後群とで構成されており、該前群は光軸上移動してフォーカスを行うレンズ群であり、該前群は、物体側より像側へ順に、物体側が凸面でメニスカス形状の負レンズ、正レンズ、正レンズで構成されていること。【選択図】図１
2008046208.tif 000002
【特許請求の範囲】
【請求項１】
物体側から像側へ順に、負の屈折力の第１レンズ群、正の屈折力の第２レンズ群、負の屈折力の第３レンズ群、正の屈折力の第４レンズ群を有し、ズーミングに際して各レンズ群の間隔が変化するように各レンズ群が光軸上を移動するズームレンズにおいて、
該第２レンズ群は、物体側から像側へ順に最も広い空気間隔を境に正の屈折力の前群、後群とで構成されており、該前群は光軸上移動してフォーカスを行うレンズ群であり、該前群は、物体側より像側へ順に、物体側が凸面でメニスカス形状の負レンズ、正レンズ、正レンズで構成されていることを特徴とするズームレンズ。
【請求項２】
前記第２レンズ群の最も物体側の面の曲率半径をｒ２１、該第２レンズ群の焦点距離をｆ２とするとき、
１．０  ＜  ｒ２１／ｆ２  ＜  ３．０
なる条件を満足することを特徴とする請求項１に記載のズームレンズ。
【請求項３】
前記第２レンズ群の焦点距離をｆ２、前記前群の焦点距離をｆ２ａとするとき、
１．５  ＜  ｆ２ａ／ｆ２  ＜  ２．５
なる条件を満足することを特徴とする請求項１又は２に記載のズームレンズ。
【請求項４】
前記前群が有する負レンズとその像側の正レンズは、接合されていることを特徴とする請求項１、２又は３に記載のズームレンズ。
【請求項５】
ｉを物体側から数えたレンズ群の順番とするとき、前記第ｉレンズ群の焦点距離をｆｉ、広角端における全系の焦点距離をｆｗとするとき、
０．９  ＜  ｜ｆ１｜／ｆｗ  ＜  １．７
１．５  ＜  ｆ２／ｆｗ  ＜  ２．８
１．９  ＜  ｜ｆ３｜／ｆｗ  ＜  ４．５
なる条件を満足することを特徴とする請求項１乃至４のいずれか１項に記載のズームレンズ。
【請求項６】
前記第４レンズ群は、光軸から離れるに従い負の屈折力が強くなる形状の非球面を有することを特徴とする請求項１乃至５のいずれか１項に記載のズームレンズ。
【請求項７】
前記前群の負レンズの像側の正レンズは両凸形状であり、該前群の最も像側の正レンズは、物体側が凸面のメニスカス形状であることを特徴とする請求項１乃至６のいずれか１項のズームレンズ。
【請求項８】
固体撮像素子に像を形成するための光学系であることを特徴とする請求項１から７のいずれか１項のズームレンズ。
【請求項９】
請求項１から８のいずれか１項のズームレンズと該ズームレンズによって形成された像を撮像する固体撮像素子を有していることを特徴とする撮像装置。
【発明の詳細な説明】
【技術分野】
【０００１】
本発明は、ズームレンズ及びそれを有する撮像装置に関し、デジタルカメラ、ビデオカメラ、銀塩フィルム用カメラ等の撮影系に好適なものである。
【背景技術】
【０００２】
従来より、負の屈折力のレンズ群が先行する（最も物体側に位置する）所謂ネガティブリード型のズームレンズが知られている。ネガティブリード型のズームレンズは、近接撮影距離が比較的短くなり、広画角化が比較的容易であり、バックフォーカスを長くすることが容易であるため、広画角用の撮影レンズに多く用いられている。
【０００３】
一眼レフカメラ用のネガティブリード型のズームレンズとして、物体側から順に負、正、負、正の４つの屈折力のレンズ群より構成したズームレンズが知られている（特許文献１、２）。
【０００４】
特許文献１では、物体側から像側へ順に負、正、負、正の屈折力の４つのレンズ群より成り、第１レンズ群を負の屈折力の前群と、負の屈折力の後群に分けている。そして合焦（フォーカシング）に際して後群を移動させている。
【０００５】
特許文献１では、広角端の画角が１００°程度の超広角域を含むズームレンズを開示している。
【０００６】
特許文献２では、物体側から像側へ順に負、正、負、正の屈折力の４つのレンズ群より成り、第２レンズ群を正の屈折力の前群と負の屈折力の後群に分けている。そして合焦に際して前群を移動させている。
【０００７】
特許文献２は、特許文献１と同様の超広角域を含むズームレンズを開示している。
【特許文献１】特開平7-261084号公報
【特許文献２】特開2001-83421号公報
【発明の開示】
【発明が解決しようとする課題】
【０００８】
近年、デジタル一眼レフカメラ用のズームレンズには、撮影画角の広画角化と撮影される像の高画質化が強く求められている。
【０００９】
特に無限遠物体から近距離物体に至る広い物体距離範囲にわたり、フォーカスの際の収差変動が少なく、画面全体にわたり高い光学性能を有することが求められている。
【００１０】
一般に、広画角のネガティブリード型のズームレンズは、レンズ構成の非対称が顕著である。
【００１１】
このため近接物体に合焦すると画面周辺での収差変動が大きくなり、物体距離全般にわたり高い光学性能を得るのが難しい。
【００１２】
又、ズーミングに際して各レンズ群が移動すると、レンズ構成の非対称の変化が原因となって、収差変動が多く発生してくるため、全ズーム領域で高い光学性能を得るのが難しい。
【００１３】
本発明は広画角で、全ズーム領域及び全合焦領域で高い光学性能を有したズームレンズの提供を目的とする。
【課題を解決するための手段】
【００１４】
本発明のズームレンズは、物体側から像側へ順に、負の屈折力の第１レンズ群、正の屈折力の第２レンズ群、負の屈折力の第３レンズ群、正の屈折力の第４レンズ群を有し、ズーミングに際して各レンズ群の間隔が変化するように各レンズ群が光軸上を移動するズームレンズにおいて、
該第２レンズ群は、物体側から像側へ順に最も広い空気間隔を境に正の屈折力の前群、後群とで構成されており、該前群は光軸上移動してフォーカスを行うレンズ群であり、該前群は、物体側より像側へ順に、物体側が凸面でメニスカス形状の負レンズ、正レンズ、正レンズで構成されていることを特徴としている。
【発明の効果】
【００１５】
本発明によれば、広画角で、全ズーム領域及び全合焦領域において高い光学性能を有したズームレンズが得られる。
【発明を実施するための最良の形態】
【００１６】
以下に、本発明のズームレンズ及びそれを有する撮像装置の実施の形態を添付の図面に基づいて説明する。
【００１７】
図１は本発明の実施例１のズームレンズの広角端（短焦点距離端）におけるレンズ断面図である。
【００１８】
図２（ａ）、（ｂ）はそれぞれ実施例１のズームレンズの広角端，望遠端（長焦点距離端）における物体距離無限遠のときの収差図である。
【００１９】
図３（ａ）、（ｂ）はそれぞれ実施例１のズームレンズの広角端、望遠端における物体距離１ｍのときの収差図である。
【００２０】
但し、後述する数値実施例の単位「ｍｍ」で表したときである。以下、同様である。
【００２１】
図４は本発明の実施例２のズームレンズの広角端におけるレンズ断面図である。
【００２２】
図５（ａ）、（ｂ）はそれぞれ実施例２のズームレンズの広角端，望遠端における物体距離無限遠のときの収差図である。
【００２３】
図６（ａ）、（ｂ）はそれぞれ実施例２のズームレンズの広角端、望遠端における物体距離１ｍのときの収差図である。
【００２４】
図７は本発明の実施例３のズームレンズの広角端におけるレンズ断面図である。
【００２５】
図８（ａ）、（ｂ）はそれぞれ実施例３のズームレンズの広角端，望遠端における物体距離無限遠のときの収差図である。
【００２６】
図９（ａ）、（ｂ）はそれぞれ実施例３のズームレンズの広角端、望遠端における物体距離１ｍのときの収差図である。
【００２７】
図１０は、本発明のズームレンズを備える一眼レフカメラ（撮像装置）の要部概略図である。
【００２８】
各実施例のズームレンズはビデオカメラやデジタルカメラそして銀塩フィルムカメラ等の撮像装置に用いられる撮影レンズ系である。
【００２９】
レンズ断面図において、左方が被写体側（前方）で、右方が像側（後方）である。レンズ断面図において、ｉは物体側からのレンズ群の順番を示し、Ｌｉは第ｉレンズ群である。ＳＰは絞り値を変化させた時のＦナンバー光線を規制する開口絞りである。ＳＳＰは開放Ｆナンバーの光線を規制する開放Ｆナンバー絞りである。
【００３０】
ＩＰは像面であり、ビデオカメラやデジタルスチルカメラの撮影光学系として使用する際にはＣＣＤセンサやＣＭＯＳセンサ等の固体撮像素子（光電変換素子）の撮像面に、銀塩フィルム用カメラのときはフィルム面に相当する。
【００３１】
収差図において、ｄ，ｇは各々ｄ線，ｇ線である。Ｓ．Ｃは正弦条件である。Ｍ，Ｓはｄ線でのメリディオナル像面，サジタル像面である。倍率色収差はｇ線によって表している。ＦｎｏはＦナンバー、ωは半画角である。
【００３２】
尚、以下の各実施例において広角端と望遠端は変倍用レンズ群が機構上光軸上を移動可能な範囲の両端に位置したときのズーム位置をいう。
【００３３】
各実施例では、物体側から像側へ順に、負の屈折力の第１レンズ群Ｌ１、正の屈折力の第２レンズ群Ｌ２、負の屈折力の第３レンズ群Ｌ３、正の屈折力の第４レンズ群Ｌ４を有している。
【００３４】
尚、第１レンズ群Ｌ１の物体側又は／及び第４レンズ群Ｌ４の像側にコンバーターレンズやアフォーカルレンズ群が位置していても良い。
【００３５】
広角端から望遠端へのズーミングに際して各レンズ群Ｌ１〜Ｌ４の間隔が変化するように各レンズ群Ｌ１〜Ｌ４が矢印の如く光軸上を移動する。
【００３６】
具体的には、広角端に比べて望遠端での各レンズ群の間隔変化は次のとおりである。即ち第１レンズ群Ｌ１と第２レンズ群Ｌ２との空気間隔が小さく、第２レンズ群Ｌ２と第３レンズ群Ｌ３との空気間隔が大きく、該第３レンズ群Ｌ３と第４レンズ群Ｌ４との空気間隔が小さくなる。
【００３７】
第１レンズ群Ｌ１は像側に凸状の軌跡で移動する。第２〜第４レンズ群Ｌ２〜Ｌ４は物体側へ移動する。
【００３８】
開口絞りＳＰと開放Ｆナンバー絞りＳＳＰはズーミングに際して第３レンズ群Ｌ３と一体的に移動している。
【００３９】
各実施例では、以上のような構成とすることにより、広角端では第１レンズ群Ｌ１が負の屈折力、第２レンズ群Ｌ２以降のレンズ群の合成焦点距離が正の屈折力となってレンズ系全体がレトロフォーカス型の屈折力配置となっている。これにより、広角端での広画角化を有利にしている。
【００４０】
また、ズーミングに際して第１レンズ群Ｌ１を非線形に移動させることで変倍に伴う像面変動を補正している。
【００４１】
第２レンズ群Ｌ２は、物体側から像側へ順に最も広い空気間隔を境に正の屈折力の前群Ｌ２ａと、正の屈折力の後群Ｌ２ｂとで構成されている。
【００４２】
前群Ｌ２ａは光軸上移動してフォーカスを行うレンズ群である。前群Ｌ２ａは、物体側より像側へ順に、物体側が凸面でメニスカス形状の負レンズ、正レンズ、正レンズで構成されている。
【００４３】
特に前群Ｌ２ａは、物体側が凸面でメニスカス形状の負レンズ、両凸形状の正レンズ、物体側に凸面を向けた正レンズの３枚で構成している。更に負レンズとその像側の正レンズは接合され、接合レンズは全体として正の屈折力を有している。
【００４４】
前群Ｌ２ａをこのような構成とすることで、十分な大きさのピント敏感度を持つようにして合焦を行っている。これにより、少ない駆動量で合焦ができると共に、合焦の際のレンズ間隔の変化が少なくなるようにして収差変動を小さくしている。
【００４５】
第２レンズ群Ｌ２の最も物体側の面は軸上光束が高い位置を通り、球面収差やコマ収差が大きく発生する。そこで物体側に凸面を向けたメニスカス形状の負レンズを配置することにより、該負レンズの物体側の面で大きく発生する収差を直後の像側の凹面で補正している。
【００４６】
また、メニスカス形状の負レンズを物体側に凸の形状とすることで絞りＳＰに対して同心円に近い面としている。これにより、第１レンズ群Ｌ１から入射する軸外光束が極端な屈折をせずに第２レンズ群Ｌ２を通るようにして、軸外収差の発生を抑えている。
【００４７】
また、メニスカス形状の負レンズと両凸形状の正レンズで色消しを行い、第２レンズ群Ｌ２の前群Ｌ２ａ内で軸上色収差の補正を行っている。
【００４８】
更に第２レンズ群Ｌ２の前群Ｌ２ａには接合レンズの像側にもう一枚の正レンズを配置して、残存収差の補正を良好に行っている。
【００４９】
第２レンズ群Ｌ２の後群Ｌ２ｂは両凸形状の正レンズより成っている。
【００５０】
第２レンズ群Ｌ２は、このように正の屈折力の前群Ｌ２ａと正の屈折力の後群Ｌ２ｂとで構成することによってズーミングに伴う収差変動を少なくし、ズーム領域全般にわたり高い光学性能を得ている。
【００５１】
各実施例では、次の条件のうち１以上を満足するようにし、これによって各条件に相当する効果を得ている。
【００５２】
第２レンズ群Ｌ２の最も物体側の面の曲率半径をｒ２１とする。前群Ｌ２ａの焦点距離をｆ２ａとする。第ｉレンズ群の焦点距離をｆｉとする。広角端における全系の焦点距離をｆｗとする。
【００５３】
このとき
１．０  ＜  ｒ２１／ｆ２  ＜  ３．０      ‥‥‥（１）
１．５  ＜  ｆ２ａ／ｆ２  ＜  ２．５      ‥‥‥（２）
０．９  ＜  ｜ｆ１｜／ｆｗ  ＜  １．７    ‥‥‥（３）
１．５  ＜  ｆ２／ｆｗ  ＜  ２．８        ‥‥‥（４）
１．９  ＜  ｜ｆ３｜／ｆｗ  ＜  ４．５    ‥‥‥（５）
なる条件を満足している。
【００５４】
次に各条件式の技術的意味について説明する。
【００５５】
条件式（１）は第２レンズ群Ｌ２の最も物体側の面での収差補正を良好に行うためのものである。
【００５６】
条件式（１）の下限を超えて第２レンズ群Ｌ２の第１面の曲率半径が小さくなると、球面収差など軸上光束で発生する収差が大きくなり過ぎ、第２レンズ群Ｌ２内での補正が困難となる。
【００５７】
条件式（１）の上限を超えて第２レンズ群Ｌ２の第１面の曲率半径が大きくなると、絞りＳＰに対して同心円に近い形状から外れてしまい、軸外光束での収差発生が大きくなってくる。
【００５８】
条件式（２）は、合焦レンズ群である第２レンズ群Ｌ２の前群Ｌ２ａの合焦敏感度と光学性能をバランス良くするためのものである。
【００５９】
条件式（２）の下限を超えて前群Ｌ２ａの屈折力が強くなると、前群Ｌ２ａ内で発生する諸収差が大きくなりこれらの補正が困難となる。
【００６０】
条件式（２）の上限を超えて前群Ｌ２ａの屈折力が弱くなると、合焦のための移動量が増える。このため、合焦時の前後のレンズ群との空気間隔の変化が大きくなり収差変動が大きくなってくる。
【００６１】
条件式（３）〜（５）は、広画角化と光学系の大きさ及び光学性能をバランス良く行うためのものである。
【００６２】
条件式（３）の下限を超えて第１レンズ群Ｌ１の屈折力が強くなると、特に広角端での軸外収差の発生が大きくなりこれの補正が困難となる。
【００６３】
条件式（３）の上限を超えて第１レンズ群Ｌ１の屈折力が弱くなると、広画角化が困難となると同時に、光学系を大型化せずに十分なバックフォーカスを得ることが難しくなる。
【００６４】
条件式（４）の下限を超えて第２レンズ群Ｌ２の屈折力が強くなると、特に軸上光線での収差発生が大きくなりこれの補正が困難となる。
【００６５】
条件式（４）の上限を超えて第２レンズ群Ｌ２の屈折力が弱くなると、変倍のための移動量が増えて光学系が大型化してくる。
【００６６】
条件式（５）の下限を超えて第３レンズ群Ｌ３の屈折力が強くなると、広角端での第２、第３、第４レンズ群での合成の正の屈折力が弱くなりすぎて光学系が大型化し、更に広画角化も困難となる。
【００６７】
条件式（５）の上限を超えて第３レンズ群Ｌ３の屈折力が弱くなると、変倍のための移動量が増えて光学系が大型化してくる。
【００６８】
尚、各実施例において更に好ましくは前述の条件式（１）から（５）の数値範囲を以下の如く設定するのが良い。
【００６９】
１．２  ＜  ｒ２１／ｆ２  ＜  ２．７      ‥‥‥（１ａ）
１．７  ＜  ｆ２ａ／ｆ２  ＜  ２．４      ‥‥‥（２ａ）
１．１  ＜  ｜ｆ１｜／ｆｗ  ＜  １．５    ‥‥‥（３ａ）
１．７  ＜  ｆ２／ｆｗ  ＜  ２．６        ‥‥‥（４ａ）
２．２  ＜  ｜ｆ３｜／ｆｗ  ＜  ４．０    ‥‥‥（５ａ）
各実施例において、第１レンズ群Ｌ１は、少なくとも２面の非球面を有している。
【００７０】
各実施例では、光学性能をより向上させるために物体からの光線が大きく屈折して通過する第１レンズ群Ｌ１内に２面の非球面を配置している。
【００７１】
これによって広画角化により大きく発生する像面湾曲、コマ収差、歪曲収差等を第１レンズ群Ｌ１の最も物体側のレンズに１番目の非球面を配置して補正している。そして物体側から２番目の非球面で残存収差を更に補正している。
【００７２】
第４レンズ群Ｌ４は、光軸から離れるに従い負の屈折力が強くなる形状の非球面を有している。
【００７３】
これによって特に広角端で発生する負の歪曲収差を良好に補正し、第１レンズ群Ｌ１に配置した非球面と併せて良好な光学性能を実現している。
【００７４】
次に各実施例のレンズ構成の特徴について前述した以外の特徴について説明する。
【実施例１】
【００７５】
実施例１では、第１レンズ群Ｌ１内の最も物体側の面に配置した非球面はガラス面に直接形成している。又、物体側から２番目の非球面はガラスに非球面形状を持った樹脂層を成形した所謂複合非球面である。非球面はもちろんこれらはこの形態に限ったものではなく、両者ともガラス面に直接形成した非球面でも、両者とも複合非球面を用いても構わない。またガラス面に非球面形状を直接形成する場合の製造方法も、ガラスを研削して形成する手法であっても、ガラスモールド法で形成する手法であっても構わない。
【００７６】
以下、各レンズ群のレンズ構成は物体側から像側の順である。第１レンズ群Ｌ１は物体側が凸面でメニスカス形状の負レンズ、両凹形状の負レンズ、物体側が凸面でメニスカス形状の正レンズより成っている。
【００７７】
第３レンズ群Ｌ３は、両凹形状の負レンズ、両凹形状の負レンズ、両凸形状の正レンズより成っている。
【００７８】
第４レンズ群Ｌ４は、両凸形状の正レンズ、像側が凸面のメニスカス形状の負レンズ、物体側が凸面のメニスカス形状の負レンズ、両凸形状の正レンズ、負レンズより成っている。
【実施例２】
【００７９】
実施例２のズームレンズは、基本的なレンズ構成や前述した特徴は実施例１と同じである。実施例２では第１レンズ群Ｌ１が物体側が凸面のメニスカス形状の２つの負レンズ、両凹形状の負レンズ、物体側が凸面でメニスカス形状の正レンズより成っている。
【００８０】
また、実施例２では第１レンズ群Ｌ１に配置した非球面は２つともガラス面に直接形成している。この他の構成は実施例１と同じである。
【実施例３】
【００８１】
実施例３のズームレンズは、基本的に実施例２に同様である。実施例３では第１レンズ群に配置した非球面の内２番目の非球面を、実施例１の場合と同様に複合非球面で形成している。
【００８２】
これらの構成とすねることで、実施例１同様に、全ズーム域、全合焦域で高い光学性能を有した広画角なズームレンズを実現している。
【００８３】
次に、本発明のズームレンズを用いた一眼レフカメラシステムの実施形態を図１０を用いて説明する。図１０において、１０は一眼レフカメラ本体、１１は本発明によるズームレンズを搭載した交換レンズである。
【００８４】
１２は交換レンズ１１を通して得られる被写体像を記録するフィルムや撮像素子などの記録手段、１３は交換レンズ１１からの被写体像を観察するファインダー光学系である。
【００８５】
１４は交換レンズ１１からの被写体像を記録手段１２とファインダー光学系１３に切り替えて伝送するための回動するクイックリターンミラーである。
【００８６】
ファインダーで被写体像を観察する場合は、クイックリターンミラー１４を介してピント板１５に結像した被写体像をペンタプリズム１６で正立像としたのち、接眼光学系１７で拡大して観察する。
【００８７】
撮影時には、クイックリターンミラー１４が矢印方向に回動して被写体像は記録手段１２に結像して記録される。１８はサブミラー、１９は焦点検出装置である。
【００８８】
このように本発明のズームレンズを一眼レフカメラ交換レンズ等の撮像装置に適用することにより、高い光学性能を有した撮像装置が実現できる。
【００８９】
尚、本発明はクイックリターンミラーのないＳＬＲ（Single Lens Reflex）カメラにも同様に適用することができる。
【００９０】
以上のように各実施例によれば固体撮像素子を用いた撮影系に好適な、コンパクトで、優れた光学性能を有するズームレンズ及びそれを有する撮像装置が得られる。
【００９１】
以下に実施例１〜３に各々対応する数値実施例１〜３を示す。各数値実施例において、ｉは物体側からの面の順番を示す。
【００９２】
ｒｉは各面の曲率半径、ｄｉは第ｉ面と第ｉ＋１面との間の部材肉厚又は空気間隔、ｎｉとνｉはそれぞれｄ線を基準とした屈折率、アッベ数を示す。ｆは焦点距離、ＦｎｏはＦナンバー、ωは半画角を示す。
各実施例において非球面形状は、次式によって定義している。
【００９３】
【数１】
2008046208.tif 000003
但し、Ｘは光軸からｈだけ離れたレンズ面上の光軸方向への変位量、Ｒは近軸曲率半径、Ｂ、Ｃ、Ｄ、Ｅ、Ｆはそれぞれ４次、６次、８次、１０次、１２次の非球面係数である。又、「e-x」は「×10-x」を意味している。fは焦点距離、FNoはFナンバー、ωは半画角である。
【００９４】
又、前述の各条件式と数値実施例における諸数値との関係を表−１に示す。
数値実施例１
f=  16.5〜  33.9 FNo=1: 2.9〜 2.9 2ω=105.4°〜65.0°
r 1=   103.634(非球面) d 1=   2.00    n 1=1.77250  ν 1=49.6
r 2=    20.773        d 2=  12.34                          
r 3=  -106.995        d 3=   1.20    n 2=1.83481  ν 2=42.7
r 4=    37.680        d 4=   0.17    n 3=1.51640  ν 3=52.2
r 5=    39.110(非球面)d 5=   2.89                          
r 6=    39.457        d 6=   3.94    n 4=1.84666  ν 4=23.9
r 7=   149.069        d 7= 可変                            
r 8=    74.425        d 8=   1.30    n 5=1.80518  ν 5=25.4
r 9=    24.874        d 9=   6.76    n 6=1.56732  ν 6=42.8
r10=   -78.459        d10=   0.15                          
r11=    45.277        d11=   2.38    n 7=1.51633  ν 7=64.1
r12=   100.849        d12=   4.29                            
r13=    69.906        d13=   3.40    n 8=1.71999  ν 8=50.2
r14=   -99.465        d14= 可変                            
r15=     0.000(絞り)  d15=   1.45                          
r16=  -104.329        d16=   1.40    n 9=1.88300  ν9=40.8
r17=   141.243        d17=   2.13                          
r18=   -42.961        d18=   1.05    n10=1.72342  ν10=38.0
r19=    25.663        d19=   6.83    n11=1.84666  ν11=23.9
r20=  -110.870        d20=   0.50                          
r21=     0.000        d21= 可変                            
r22=    33.588        d22=   7.32    n12=1.49700  ν12=81.5
r23=   -23.550        d23=   1.20    n13=1.84666  ν13=23.9
r24=   -36.091        d24=   0.20                          
r25=   115.317        d25=   1.20    n14=1.83400  ν14=37.2
r26=    22.421        d26=   6.07    n15=1.49700  ν15=81.5
r27=  -120.652        d27=   0.15                          
r28=  -245.463        d28=   2.50    n16=1.69350  ν16=53.2
r29=  -134.058(非球面)                                                      
焦点距離   16.48  25.58  33.95  
可変間隔                             
d  7      26.00   9.84   3.21   
d 14       0.80   7.33  12.00   
d 21      11.43   4.90   0.23   
非球面係数
（第1面）
B= 1.255593e-05  C=-1.478479e-08  D= 2.128103e-11  E=-1.865765e-14  
F= 8.441145e-18
（第5面）
B= 1.112767e-05  C=-2.019707e-08  D=-1.647409e-11  E= 6.293196e-14
F= 0.0
（第29面）
B= 9.407982e-06  C= 1.557520e-08  D= 1.452262e-11  E= 0.0  F= 0.0
数値実施例２
f=  16.5〜  33.9 FNo=1: 2.9〜 2.9 2ω=105.4°〜65.0°
r 1=   125.694(非球面)d 1=   2.00    n 1=1.77250  ν 1=49.6
r 2=    22.323        d 2=   8.46                          
r 3=    83.965        d 3=   1.80    n 2=1.69350  ν 2=53.2
r 4=    45.445(非球面)d 4=   4.95                          
r 5=  -185.919        d 5=   1.20    n 3=1.77250  ν 3=49.6
r 6=    45.233        d 6=   2.67                          
r 7=    41.692        d 7=   3.49    n 4=1.84666  ν 4=23.9
r 8=   133.102        d 8= 可変                            
r 9=    65.389        d 9=   1.30    n 5=1.80518  ν 5=25.4
r10=    24.732        d10=   7.00    n 6=1.54072  ν 6=47.2
r11=   -77.629        d11=   0.15                          
r12=    45.344        d12=   2.32    n 7=1.51633  ν 7=64.1
r13=    95.466        d13=   4.34                      
r14=    71.584        d14=   3.40    n 8=1.71999  ν 8=50.2
r15=   -95.385        d15= 可変                            
r16=     0.000(絞り)  d16=   1.50                          
r17=   -98.572        d17=   1.40    n 9=1.88300  ν9=40.8
r18=   156.199        d18=   2.10                          
r19=   -42.174        d19=   1.05    n10=1.72342  ν10=38.0
r20=    25.070        d20=   6.84    n11=1.84666  ν11=23.9
r21=  -115.748        d21=   0.50                          
r22=     0.000        d22= 可変                            
r23=    32.371        d23=   7.53    n12=1.49700  ν12=81.5
r24=   -24.237        d24=   1.20    n13=1.84666  ν13=23.9
r25=   -37.055        d25=   0.20                          
r26=   134.864        d26=   1.20    n14=1.83400  ν14=37.2
r27=    23.381        d27=   6.06    n15=1.49700  ν15=81.5
r28=   -91.831        d28=   0.15                          
r29=  -225.022        d29=   2.50    n16=1.69350  ν16=53.2
r30=  -141.436(非球面)                            
焦点距離  16.48  25.60  33.95  
可変間隔                             
d  8     24.19   8.31   1.82   
d 15      0.80   7.19  11.63   
d 22     11.03   4.63   0.20   
非球面係数
（第1面）
B= 1.308623e-05  C=-1.712362e-08  D= 2.283492e-11  E=-1.937373e-14   
F= 7.463068e-18  
（第4面）
B= 1.038522e-05  C=-4.243209e-09  D=-3.649043e-11  E= 4.578133e-14
F= 0.0
（第30面）
B= 1.048439e-05  C= 1.548601e-08  D= 2.614619e-11  E= 0.0  F= 0.0
数値実施例３
f=  16.5〜  33.9 FNo=1: 2.9〜 2.9 2ω=105.4°〜65.0°
r 1=   450.375(非球面)d 1=   2.30    n 1=1.77250  ν 1=49.6
r 2=    21.000        d 2=   9.33                          
r 3=   105.660        d 3=   1.80    n 2=1.80400  ν 2=46.6
r 4=    37.193        d 4=   0.16    n 3=1.51640  ν 3=52.2
r 5=    45.379(非球面)d 5=   5.67                          
r 6=  -139.831        d 6=   1.60    n 4=1.83400  ν 4=37.2
r 7=   112.189        d 7=   0.15                          
r 8=    45.210        d 8=   4.50    n 5=1.80518  ν 5=25.4
r 9=  1114.049        d 9= 可変                            
r10=    58.687        d10=   1.30    n 6=1.80518  ν 6=25.4
r11=    24.574        d11=   5.20    n 7=1.54072  ν 7=47.2
r12= -1301.196        d12=   0.15                          
r13=    89.053        d13=   2.55    n 8=1.80400  ν 8=46.6
r14=  -206.868        d14=   4.61                      
r15=    64.865        d15=   3.80    n 9=1.62299  ν 9=58.2
r16=   -79.408        d16= 可変                            
r17=     0.000(絞り)  d17=   1.89                          
r18=  -142.558        d18=   1.40    n10=1.88300  ν10=40.8
r19=   103.786        d19=   2.34                          
r20=   -38.211        d20=   1.10    n11=1.76200  ν11=40.1
r21=    23.493        d21=   5.50    n12=1.84666  ν12=23.8
r22=  -100.183        d22=   1.25                          
r23=     0.000        d23= 可変                            
r24=    35.975        d24=   8.50    n13=1.49700  ν13=81.5
r25=   -21.336        d25=   1.20    n14=1.84666  ν14=23.9
r26=   -33.052        d26=   0.20                          
r27=   209.038        d27=   1.20    n15=1.83400  ν15=37.2
r28=    22.424        d28=   6.95    n16=1.49700  ν16=81.5
r29=  -133.647        d29=   0.20                          
r30=   154.194        d30=   2.90    n17=1.58313  ν17=59.4
r31=  -151.013(非球面)                            
焦点距離 16.49  24.01  33.94  
可変間隔                             
d  9     26.27  10.51   1.48   
d 16      0.94   5.36  10.71   
d 23      9.96   5.54   0.19   
非球面係数
（第1面）
B= 1.684535e-05  C=-2.660002e-08  D= 3.521074e-11  E=-2.935318e-14  
F= 1.049151e-17   
（第5面）
B= 1.536248e-05  C= 1.293314e-09  D=-1.051563e-10  E= 1.681412e-13 
F=-1.887261e-16
（第31面）
B= 7.231494e-06  C= 1.208044e-08  D=-1.273339e-11  E= 3.088998e-14
F= 0.0
【００９５】
【表１】
2008046208.tif 000004
【図面の簡単な説明】
【００９６】
【図１】実施例１のズームレンズの広角端におけるレンズ断面図
【図２】実施例１のズームレンズの広角端、望遠端における物体距離無限遠の時の収差図
【図３】実施例１のズームレンズの広角端、望遠端における物体距離１ｍの時の収差図
【図４】実施例２のズームレンズの広角端におけるレンズ断面図
【図５】実施例２のズームレンズの広角端、望遠端における物体距離無限遠の時の収差図
【図６】実施例２のズームレンズの広角端、望遠端における物体距離１ｍの時の収差図
【図７】実施例３のズームレンズの広角端におけるレンズ断面図
【図８】実施例３のズームレンズの広角端、望遠端における物体距離無限遠の時の収差図
【図９】実施例３のズームレンズの広角端、望遠端における物体距離１ｍの時の収差図
【図１０】本発明の撮像装置の要部概略図
【符号の説明】
【００９７】
Ｌ１  第１レンズ群
Ｌ２  第２レンズ群
Ｌ３  第３レンズ群
Ｌ４  第４レンズ群
Ｌ２ａ  前群
Ｌ２ｂ  後群
ＳＰ  開口絞り
ＳＳＰ  開放Ｆナンバー絞り
ＩＰ  像面
ｄ    ｄ線
ｇ    ｇ線
Ｍ    メリディオナル像面
Ｓ    サジタル像面
Ｓ．Ｃ  正弦条件
【図１】
2008046208.tif 000005
【図２】
2008046208.tif 000006
【図３】
2008046208.tif 000007
【図４】
2008046208.tif 000008
【図５】
2008046208.tif 000009
【図６】
2008046208.tif 000010
【図７】
2008046208.tif 000011
【図８】
2008046208.tif 000012
【図９】
2008046208.tif 000013
【図１０】
2008046208.tif 000014